(57)【要約】      （修正有）【課題】カッタがアームでカバーされ、安全性と使用の簡便性が優れて、カッタの切れが悪くなった場合は、取換が容易で使い勝っての良い擬似ステイプラーカッタを提供する。【解決手段】ベース２に基端側を枢着した中間アーム３とハンドル５とで構成された擬似ステイプラーカッタにおいて、中間アームの可動側３ｂに設けた開口３００と当て板３０１との間に形成した支持部３０２に、カッタ６を抜差し可能に支持する。これにより、利用範囲を拡充し、一部のステイプラーを兼用して使用でき、また、道具の無駄が無くなる。さらに、カッタの入替えを利用して、利き手の方向に関係なく、使用できる。【選択図】図２
0003198766.tif 000002
【実用新案登録請求の範囲】
【請求項１】
ベースに基端側を枢着した中間アーム、及びハンドルとで構成された擬似ステイプラーカッタにおいて、
前記中間アームの可動側に設けた開口と当て板との間に形成した支持部に、カッタを抜差し可能に支持する構成とした擬似ステイプラーカッタ。
【請求項２】
前記カッタは、その上端（カッタの背側）が、前記ハンドルの可動側で、かつ内面天井に衝止支持される構成とした請求項１に記載の擬似ステイプラーカッタ。
【請求項３】
前記カッタは、市販製の折刃とする構成とした請求項１に記載の擬似ステイプラーカッタ。
【請求項４】
前記擬似ステイプラーは、市販製のステイプラーとする構成とした請求項１に記載の擬似ステイプラーカッタ。
【考案の詳細な説明】
【技術分野】
【０００１】
本考案は、擬似ステイプラーカッタに関し、詳細は、市販のステイプラーと、市販の折刃との組合せでなる擬似ステイプラーカッタの考案である。
【背景技術】
【０００２】
従来、この種の擬似ステイプラーカッタとしては、ステイプラー形を基台として、カッタを取付けた構造であり、擬似ステイプラーとカッタとは、一体構造である。従って、鋏、又はハンド式カッタと異なり、通常は、カッタがアーム等の部材で、カバーされており、安全性と使用の簡便性が優れており、かつそのまま放置しても、この安全性等が確保され、重宝されている。しかし、その反面で、例えば、カッタの切れが悪となった場合には、取換ができないケースが多く、利用範囲の限定と、道具の無駄となること、等の問題が考えられる。また、カッタの歯の向きの関係で、利き手の方向により、使用できないこと等の問題も抱えている。
【０００３】
前述した、擬似ステイプラーカッタに関する文献として、実開昭６３−１４３２８０号公報に記載の「切断器」とか、実開平３−２０９６５号公報の「ローラー付きペーパーカッター」、或いは実開昭６３−１６９０８５号公報の「カッターナイフ」が挙げられる。
【０００４】
文献として挙げた、文献（１）〜文献（３）は、前述した問題を抱えており、その改良、即ち、本考案が意図する下記の点を達成することが要望されていると考えられる。イ）  利用範囲の限定と、道具の無駄となること、等を解消する。ロ）  カッタの入替えを利用して、利き手の方向に関係なく、使用できること、等である。
【０００５】
【特許文献１】実開昭６３−１４３２８０号公報
【特許文献２】実開平３−２０９６５号公報
【特許文献３】実開昭６３−１６９０８５号公報
【考案の概要】
【考案が解決しようとする課題】
【０００６】
文献（１）〜文献（３）は、従来と同様に、カッタの切れが悪くなった場合には、取換ができないケースが多く、利用範囲の限定と、道具の無駄となること、等の問題が考えられる。また、カッタの歯の向きの関係で、利き手の方向により、使用できないこと等の問題も抱えている。
【課題を解決するための手段】
【０００７】
本考案は、イ）  利用範囲の限定と、道具の無駄となること、等の解消をする。ロ）  カッタの入替えを利用して、利き手の方向に関係なく、使用できること、等を意図する。そのために、請求項１〜請求項４を提案する。
【考案の効果】
【０００８】
請求項１の考案は、ベースに基端側を枢着した中間アーム、及びハンドルとで構成された擬似ステイプラーカッタにおいて、
中間アームの可動側に設けた開口と当て板との間に形成した支持部に、カッタを抜差し可能に支持する擬似ステイプラーカッタであり、イ）  利用範囲を拡充し、一部のステイプラーを兼用して使用できることで、道具の無駄となくし得ること、等の特徴がある。ロ）  カッタの入替えを利用して、利き手の方向に関係なく、使用できること、等の実益がある。
【０００９】
請求項２の考案は、カッタは、その上端（カッタの背側）が、ハンドルの可動側で、かつ内面天井に衝止支持される擬似ステイプラーカッタであり、請求項１と同じ特徴を達成できること、又は折刃を確実にセットできることで、取付けの安定性と、カッタとしての役割、及び切断作業の確実な達成ができる実益がある。
【００１０】
請求項３の考案は、カッタは、市販製の折刃とする擬似ステイプラーカッタであり、請求項１と同じ特徴を達成できること、又は折刃の汎用性と再利用で、低コスト化と実用性等を達成できること、部材の正確性と精度の安定性に寄与できること、カッタとしての役割、及び切断作業の確実な達成ができる実益がある。
【００１１】
請求項４の考案は、擬似ステイプラーは、市販製のステイプラーとする擬似ステイプラーカッタであり、請求項１と同じ特徴を達成できること、又は折刃の汎用性と再利用で、低コスト化と実用性等を達成できること、部材の正確性と精度の安定性に寄与できること、カッタとしての役割、及び切断作業の確実な達成ができる実益がある。
【図面の簡単な説明】
【００１２】
【図１】本考案の一例の全体の斜視図
【図２】図１の分解斜視図
【図３】図１の要部の一部省略の断面図
【図４】本考案のカッタの一例を示した斜視図
【図５】本考案の他の一例の全体の斜視図
【図６】（イ）と（ロ）は、本考案の使用状態の一例を示した斜視図
【考案を実施するための形態】
【００１３】
以下、本考案の好ましい、一実施例を説明する。
【００１４】
図中１はステイプラーで、図１〜図３は市販の構造であり、図５は市販の構造を簡略化した構造である。いずれにしても、基本的な構造は共通する。
【００１５】
ステイプラー１は、ベース２（基台）と、このベース２の基端側２ａに枢着される、基端側３ａを備えた後述するカッタ６を支持する中間アーム３（支持台）と、該基端側２ａに枢着される、基端側５ａを備えた該中間アーム３とカッタ６とを押えるハンドル５（押え片）とで構成される。
【００１６】
ベース２の可動側２ｂ（先端側）には、カッタ６の刃先６００の切刃部６００ａが差込まれる凹部２００を備えている。
【００１７】
前述の如く、ベース２には、ベース２より幅と長さが小さい中間アーム３が挿入されており（壁内に差込まれており）、その上に中間アーム３と、ベース２とを被嵌するように（ベース２、及び／又は、中間アーム３より幅と長さが大きい）ハンドル５（本体と蓋体とでなる構成とする）が設けられる。また、ベース２の基端側２ａには、中間アーム３の基端側３ａと、ハンドル５の基端部５ａが枢着されており、ベース２の基端側２ａを支点として、中間アーム３と、ハンドル５とが搖動自在に構成される。また、ベース２を被嵌する中間アーム３と、又はベース２、及び／又は中間アーム３を被嵌するハンドル５とをそれぞれ開放可能とする。
【００１８】
中間アーム３の可動側３ｂ（先端側）には、カッタ６（折刃「市販製が望ましい」）を差込み、かつカッタ６を支持する開口３００（筒孔）と当て板３０１とを備えている。少なくとも、開口３００と当て板３０１とで、カッタ６の支持部３０２を形成するが限定されない。この支持部３０２には、カッタ６が抜差し（セット）できる。尚、中間アーム３の壁３ｃに係止片Ｘと、ハンドル５の内面に被係止片Ｘ１を設け、係止片Ｘと被係止片Ｘ１との係止で、中間アーム３にハンドル５が一次固定されるとともに、この中間アーム３の支持部３０２に差込んだカッタ６の上端６０１（カッタ６の背側）は、ハンドル５の内面天井で衝止支持される。これにより、中間アーム３に、カッタ６が確実にセットされる。この状態で、ハンドル５と中間アーム３とを押圧すると、カッタ６がベース２の凹部２００に近接するとともに、凹部２００と切刃部６００ａとで切断が始まる。
【００１９】
尚、１０はスプリングで、図示しないが、ハンドル５の天井内面５ｂに取付具で付設されるか、図示の如く、ハンドル５の本体５００に取付具で付設されている。また、スプリング１０の基端側１０ａの長片（符号なし）は、ハンドル５の押圧で、中間アーム３の本体部に衝止し、ハンドル５と中間アーム３との係止関係を維持し、また同じく基端側の短片（符号なし）は、中間アーム３より離間し、かつハンドル５と中間アーム３との係止関係を維持する。そして、スプリング１０の基端側１０ａの短片は、ハンドル５と中間アーム３との押圧で、撓み（圧縮、又は延展等の如く、緊張され）、この短片は、ハンドル５と中間アーム３との押圧解除で、復帰し（緊張緩和され）、ハンドル５と中間アーム３との復帰に機能する構造とする。また、図示しないが、短片に代替した、他のスプリングで、ハンドル５と中間アーム３との復帰を図る構造も可能である。
【００２０】
図中１１は調整板で、凹部２００と切刃部６００ａとの間を調整し（切刃部６００ａの露出寸法調整可能とし）、切断する紙、布等の切断物の厚みとか、その素材に対応する。また、同様に切刃部６００ａの露出寸法調整で、例えば、切断スピード、又は安全性の確保等に利用する。
【００２１】
以上説明したステイプラー１は、市販製の構造を説明したが、この例に限定されない。例えば、図５の例では、中間アーム３には、開口３００（筒孔）のみでなる支持部３０２を設けた構造とする。その他図示しないが、例えば、ハンドル５に、蓋付き、ロック付き支持部３０２を設けて、中間アーム３を省略する構造（ステイプラー１）、又はスプリング１０を省略し、ベース２とハンドル５を可撓性等の押圧、及び／又は、復帰可能な素材で形成した構造（ステイプラー１）とか、スプリング１０の形状、及び／又は、機構を変更する（ステイプラー１）等も可能である。
【００２２】
本考案の使用状態（切断操作）を、図６の（イ）と（ロ）との一例を基に説明すると、ハンドル５と中間アーム３（双方の場合には、ハンドル５等とする）、及びカッタ６と、ベース２との間に、切断対象物（紙、布、ビニール、各種袋等であり、例えば、紙Ｒとする）を差込む。続いて、ハンドル５等を押圧し、カッタ６の切刃部６００ａを紙Ｒに食込ませる。この状態を維持しつつ、ステイプラー１を、右、又は左か、曲り、その他等の好みの方向「矢印方向」（利き手の好みの方向）に移動する。この所作により、カッタ６が露出せず、安全かつ安心して切断ができる。また、曲線、自由な線から、曲線（カーブ）、その他の線に沿って、好みの切断ができ、かつ容易にできる。切断が終了したならば、ハンドル５等に対する押圧を解除することで、ハンドル５等が、スプリング１０の反力で復帰し、切刃部６００ａは、紙Ｒから離脱する。
【００２３】
以上の一実施例、及び図面において説明した構造と効果等は、本考案の好ましい例を示したものである。従って、図示、及び／又は、説明しない、他の実施例の説明、及び／又は、図面においても、本考案と同様な効果と特徴を有する発明は、当然、本考案の範疇である。本考案では、右利きと、左利きとの擬似ステイプラーカッタとして、それぞれ提供し（カッタ６の切刃部６００ａの対応でも可能とし、利き手の方向調整ができる）、有利性と、他の器材とのマッチングを図りつつ、その慣習性に対応可能であり、重宝する。
【符号の説明】
【００２４】
１  ステイプラー
２  ベース
２ａ  基端側
２ｂ  可動側
２００  凹部
３  中間アーム
３ａ  基端側
３ｂ  可動側
３ｃ  壁
３００  開口
３０１  当て板
３０２  支持部
５  ハンドル
５ａ  基端側
５ｂ  天井内面
５００  本体
６  カッタ
６００  刃先
６００ａ  切刃部
６０１  上端
１０  スプリング
１０ａ  基端側
１１  調整板
Ｒ  紙
Ｘ  係止片
Ｘ１  被係止片
【図１】
0003198766.tif 000003
【図２】
0003198766.tif 000004
【図３】
0003198766.tif 000005
【図４】
0003198766.tif 000006
【図５】
0003198766.tif 000007
【図６】
0003198766.tif 000008